(57)【特許請求の範囲】
【請求項１】
入力された複数の画像を表示パネルの画面上に並べて表示する画像表示装置であって、
前記複数の画像の配置の候補のそれぞれについて、その候補の配置において互いに隣接する２つの画像毎に、一方の画像の他方の画像に隣接する縁部の画素値と、前記他方の画像の前記一方の画像に隣接する縁部の画素値との差分値を算出する算出手段と、
前記複数の画像を、前記複数の画像の配置の候補のうち、前記差分値の総和が最小となる候補の配置で表示パネルに表示する表示手段と、
を有することを特徴とする画像表示装置。
【請求項２】
前記算出手段は、前記一方の画像の前記他方の画像に隣接する縁部内の全ての画素値が同じ値であるか否かを判断し、前記一方の画像の前記他方の画像に隣接する縁部内の全ての画素値が同じ値である場合には、前記差分値として所定の閾値を採用する
ことを特徴とする請求項１に記載の画像表示装置。
【請求項３】
前記算出手段は、前記算出した差分値が０となる場合に、前記一方の画像の前記他方の画像に隣接する縁部内の全ての画素値が同じ値であるか否かを判断する
ことを特徴とする請求項２に記載の画像表示装置。
【請求項４】
前記表示手段は、前記複数の画像の同期信号の周期が全て等しく、且つ、前記複数の画像のうち同期信号のタイミングが最も遅い画像の、同期信号のタイミングが最も早い画像に対する同期信号の遅延時間が、同期信号の周期の１／２以下の時間である場合以外の場合には、前記複数の画像を所定の配置で表示パネルに表示する
ことを特徴とする請求項１〜３のいずれか１項に記載の画像表示装置。
【請求項５】
入力された複数の画像を表示パネルの画面上に並べて表示する画像表示装置の制御方法であって、
前記複数の画像の配置の候補のそれぞれについて、その候補の配置において互いに隣接する２つの画像毎に、一方の画像の他方の画像に隣接する縁部の画素値と、前記他方の画像の前記一方の画像に隣接する縁部の画素値との差分値を算出する算出ステップと、
前記複数の画像を、前記複数の画像の配置の候補のうち、前記差分値の総和が最小となる候補の配置で表示パネルに表示する表示ステップと、
を有することを特徴とする画像表示装置の制御方法。
【請求項６】
前記算出ステップでは、前記一方の画像の前記他方の画像に隣接する縁部内の全ての画素値が同じ値であるか否かを判断し、前記一方の画像の前記他方の画像に隣接する縁部内の全ての画素値が同じ値である場合には、前記差分値として所定の閾値を採用する
ことを特徴とする請求項５に記載の画像表示装置の制御方法。
【請求項７】
前記算出ステップでは、前記算出した差分値が０となる場合に、前記一方の画像の前記他方の画像に隣接する縁部内の全ての画素値が同じ値であるか否かを判断する
ことを特徴とする請求項６に記載の画像表示装置の制御方法。
【請求項８】
前記表示ステップでは、前記複数の画像の同期信号の周期が全て等しく、且つ、前記複数の画像のうち同期信号のタイミングが最も遅い画像の、同期信号のタイミングが最も早い画像に対する同期信号の遅延時間が、同期信号の周期の１／２以下の時間である場合以外の場合には、前記複数の画像を所定の配置で表示パネルに表示する
ことを特徴とする請求項５〜７のいずれか１項に記載の画像表示装置の制御方法。
【発明の詳細な説明】
【技術分野】
【０００１】
本発明は、画像表示装置及びその制御方法に関する。
【背景技術】
【０００２】
近年、フルハイビジョン（解像度：１９２０×１０８０）を超える解像度であるクアッドフルハイビジョン（解像度例：３８４０×２１６０）や４ｋ２ｋ（解像度例：４０９６×２１６０）の画像の利用が、映画などで増えてきている。
これら高解像度の画像は、一本の信号線で伝送することが伝送帯域の観点から困難であるため、複数の領域に分割され、複数の信号線を用いて画像出力装置から画像表示装置に伝送される。具体的には、画像出力装置には複数の出力端子が用意され、複数の出力端子に複数の信号線の一端が接続される。そして、液晶モニタやプロジェクタなどの画像表示装置には複数の入力端子が用意され、複数の入力端子に複数の信号線の他端が接続される。そして、複数の信号線を用いて画像出力装置から画像表示装置へ各領域の画像（分割画像）が伝送される。入力端子や出力端子の規格には、ＤＶＩ（Ｄｉｇｉｔａｌ  Ｖｉｄｅｏ  Ｉｎｔｅｒｆａｃｅ）やＤＰ（Ｄｉｓｐｌａｙ  Ｐｏｒｔ）、ＳＤＩ（Ｓｅｒｉａｌ
Ｄｉｇｉｔａｌ  Ｉｎｔｅｒｆａｃｅ）などがある。
【０００３】
画像出力装置は、画像を複数の分割画像に分割し、複数の分割画像を複数の出力端子から出力する。画像表示装置は、入力端子に入力された分割画像を、その入力端子に応じた位置に表示する。そのため、ユーザは、どこに配置されていた分割画像が画像出力装置のどの出力端子から出力されるか、画像表示装置のどの入力端子に入力された分割画像がどこに配置（表示）されるかを考慮して配線しなければならない。誤った配線をすると、崩れた画像が表示されてしまう。また、分割画像と端子の関係は画像出力装置毎、画像表示装置毎に固有であるため、端子番号が同じ出力端子と入力端子を接続しても、分割画像が正しい位置に表示されるとは限らない（図８）。
【０００４】
上記課題の解決方法は、例えば特許文献１，２に開示されている。
特許文献１に開示の技術では、画像表示装置が、画像出力装置に対して、各入力端子に入力される分割画像がどこに配置されるかを通知する。そして、画像出力装置が、該通知に従って、正しい配置で表示されるように分割画像を出力する。
また、特許文献２に開示の技術では、画像出力装置が互いに異なる数字画像を各出力端子から出力する。この数字画像が画像表示装置で表示され、表示された画像（表示画像）が撮像装置によって取得（撮像）される。画像出力装置は、撮像装置で取得された表示画像を解析し、各出力端子から出力された数字画像が、画像表示装置のどの位置に表示されているかを識別する。その後、画像出力装置が、正しい配置で表示されるように、各出力端子に出力する分割画像を振り分ける。
これにより、出力端子と入力端子の配線によらず、正しい位置に分割画像を表示することができる。
【先行技術文献】
【特許文献】
【０００５】
【特許文献１】特開平１１−２４２４６９号公報
【特許文献２】特開２００８−２８１７１６号公報
【発明の概要】
【発明が解決しようとする課題】
【０００６】
しかしながら、特許文献１に開示の技術では、画像表示装置から画像出力装置への情報
伝達経路が必要となり、画像の伝送に用いる信号線とは別の信号線が必要となる。また、画像出力装置と画像表示装置のどちらもこの仕組みに対応している必要がある。
特許文献２に開示の技術では画像出力装置と画像表示装置以外に、撮像装置も必要となる。
このように、従来の技術では、分割画像を正しい位置に表示するために大掛かりな構成を要していた。
【０００７】
本発明は、簡易な構成で分割画像を正しい位置に表示することのできる画像表示装置及びその制御方法を提供することを目的とする。
【課題を解決するための手段】
【０００８】
本発明の画像表示装置は、入力された複数の画像を表示パネルの画面上に並べて表示する画像表示装置であって、前記複数の画像の配置の候補のそれぞれについて、その候補の配置において互いに隣接する２つの画像毎に、一方の画像の他方の画像に隣接する縁部の画素値と、前記他方の画像の前記一方の画像に隣接する縁部の画素値との差分値を算出する算出手段と、前記複数の画像を、前記複数の画像の配置の候補のうち、前記差分値の総和が最小となる候補の配置で表示パネルに表示する表示手段と、を有することを特徴とする。
【０００９】
本発明の画像表示装置の制御方法は、入力された複数の画像を表示パネルの画面上に並べて表示する画像表示装置の制御方法であって、前記複数の画像の配置の候補のそれぞれについて、その候補の配置において互いに隣接する２つの画像毎に、一方の画像の他方の画像に隣接する縁部の画素値と、前記他方の画像の前記一方の画像に隣接する縁部の画素値との差分値を算出するステップと、前記複数の画像を、前記複数の画像の配置の候補のうち、前記差分値の総和が最小となる候補の配置で表示パネルに表示するステップと、を有することを特徴とする。
【発明の効果】
【００１０】
本発明によれば、簡易な構成で分割画像を正しい位置に表示することができる。
【図面の簡単な説明】
【００１１】
【図１】本実施例に係る画像表示装置の構成の一例を示す図。
【図２】分割画像の配置の一例を示す図。
【図３】実施例１に係る画像表示装置の処理の流れの一例を示す図。
【図４】入力される各画像の同期信号の一例を示す図。
【図５】画像の一例を示す図。
【図６】実施例２に係る画像表示装置の処理の流れの一例を示す図。
【図７】実施例２に係る画像表示装置の処理の流れの一例を示す図。
【図８】従来技術の課題を示す図。
【発明を実施するための形態】
【００１２】
＜実施例１＞
以下、本発明の実施例１に係る画像表示装置及びその制御方法について説明する。本実施例に係る画像表示装置は、入力された複数の画像を表示パネルの画面上に並べて表示する。以下では、複数の画像として、１枚の画像を複数の領域に分割することによって得られる複数の分割画像が入力される場合について説明する。
【００１３】
図１は、実施例１に係る画像表示装置１００の構成の一例を示す図である。
図１の画像入力部１０１〜１０４には、不図示の画像出力装置より出力された複数の画像（画像信号）が信号線を介して入力される。具体的には、画像出力装置は、１枚の画像
を複数の分割画像に分割する。そして、複数の分割画像を、複数の信号線を介して、複数の画像入力部１０１〜１０４へ出力する。画像入力部１０１〜１０４は、入力された分割画像が圧縮されている場合は、分割画像に解凍処理を施して出力する。
縁部画素データ抽出部１０５〜１０８は、画像入力部１０１〜１０４より入力された分割画像の縁部の画素データ（画素値）を抽出して差分値算出部１２４へ出力する。本実施例では、縁部の画素値として、分割画像の上下左右のそれぞれの方向について、その方向の最も端に位置する１ライン分の画素値が取得される。また、縁部画素データ抽出部１０５〜１０８は、入力された分割画像をそのまま画像配置入替部１０９へ出力する。
【００１４】
画像配置入替部１０９は、４つの入力線と４つの出力線を備える。画像配置入替部１０９は、入力された各分割画像を、後述の差分値比較部１２５の算出結果に従って各出力線に割り振り、画像合成部１１０へ出力する。
画像合成部１１０は、画像配置入替部１０９から入力された複数の分割画像を、予め決められた配置で合成し、一つの画像としてグラフィックス重畳部１１１へ出力する。具体的には、４つの出力線を介して入力された４つの分割画像は、各出力線に対応する位置に配置されるように合成される。
グラフィックス重畳部１１１は、画像合成部１１０から入力された画像に、後述のグラフィックス生成部１２１で生成されたグラフィックスを重畳する。そして、画像出力部１１２へグラフィックスが重畳された画像を出力する。なお、グラフィックス重畳部１１１は、画像合成部１１０から入力された画像をそのまま画像出力部１１２へ出力してもよい。
【００１５】
画像出力部１１２は、グラフィックス重畳部１１１より入力された画像の信号フォーマットを表示パネル用の信号フォーマットに変換して表示パネルへ出力する。それにより、表示パネルに画像が表示される。なお、表示パネルは画像表示装置１００が有していてもよいし、画像表示装置とは別体の装置であってもよい。
ＣＰＵ１２０は、後述の各部に対して処理を実行するための指示を行う。
揮発性メモリ部１２２は、通電状態でのみ情報を保持できる記憶媒体である。
不揮発性メモリ部１２３は、非通電状態でも情報を保持可能な記憶媒体である。
操作受付部１２６は、ユーザ操作に応じて該操作を表す情報（ユーザ操作情報）を取得する。
【００１６】
グラフィックス生成部１２１は、画像や装置に関するＯＳＤ（Ｏｎ  Ｓｃｒｅｅｎ  Ｄｉｓｐｌａｙ）表示やＧＵＩ（Ｇｒａｐｈｉｃａｌ  Ｕｓｅｒ  Ｉｎｔｅｒｆａｃｅ）用の画像（グラフィックス）を揮発性メモリ部１２２内に生成し、グラフィックス重畳部１１１へ出力する。
差分値算出部１２４は、縁部画素データ抽出部１０５〜１０８から各分割画像の縁部の画素値を取得する。そして、複数の分割画像の配置の候補のそれぞれについて、その候補の配置において互いに隣接する２つの分割画像毎に、一方の分割画像の他方の分割画像に隣接する縁部の画素値と、他方の画像の一方の画像に隣接する縁部の画素値との差分値を算出する。本実施例では、差分値として、画素値の差分の２乗和を算出する。
【００１７】
差分値比較部１２５は、複数の画像の配置の候補のそれぞれについて、その候補の配置で算出された差分値の総和（以下、比較値）を算出する。ＣＰＵ１２０は、複数の画像の配置の候補のうち、差分値比較部１２５で算出される比較値が最小となる候補の配置を求め、その配置を画像配置入替部１０９に通知する。
分割画像の配置の一例を図２に示す。
図２の配置例１では、比較値は、分割画像１下端（分割画像１の下端のライン）と分割画像２上端の差分値、分割画像１右端と分割画像３左端の差分値、分割画像２右端と分割画像４左端の差分値、及び、分割画像３下端と分割画像４上端の差分値の総和となる。
図２の配置例２では、比較値は、分割画像２下端と分割画像４上端の差分値、分割画像２右端と分割画像３左端の差分値、分割画像４右端と分割画像１左端の差分値、及び、分割画像３下端と分割画像１上端の差分値の総和となる。
【００１８】
本実施例では、ＣＰＵ１２０と差分値算出部１２４により本発明の算出手段が実現される。また、画像配置入替部１０９、画像合成部１１０、画像出力部１１２、ＣＰＵ１２０、及び、差分値比較部１２５により、本発明の表示手段が実現される。
【００１９】
次に、図３を用いて本実施例に係る画像表示装置における、差分値の算出から分割画像の配置の決定までの処理の流れについて説明する。
なお、各処理部に対する処理の実行の指示は、全てＣＰＵ１２０が行う。また、図３のフローは、複数の分割画像が入力される度に実行されるものとする。
【００２０】
まず、ＣＰＵ１２０が、入力された複数の分割画像の配置Ｐｎを仮設定する（Ｓ３０１）。仮設定する配置（配置の候補）の総数は、４つの分割画像が入力される場合には、４！通り、つまり２４通りとなる。Ｓ３０１では、配置の候補のうち、１つが選択される。
【００２１】
次に、差分値算出部１２４が、Ｓ３０１で仮設定された配置において、一方の分割画像の他方の分割画像に隣接する縁部の画素値と、他方の画像の一方の画像に隣接する縁部の画素値との差分値Ｄｍを算出する（Ｓ３０２）。差分値Ｄｍは以下の式（１）で求められる。式（１）において、ｎは１以上の整数であり、一方の画像の他方の画像に隣接する縁部（他方の画像の一方の画像に隣接する縁部）に含まれる画素の数である。Ｒ１ｋ、Ｇ１ｋ、Ｂ１ｋ（ｋは１以上ｎ以下の整数）は、比較元（一方の分割画像の他方の画像に隣接する縁部）の画素値の各色成分（赤、緑、青成分）の値である。Ｒ２ｋ、Ｇ２ｋ、Ｂ２ｋは、比較先（他方の分割画像の一方の画像に隣接する縁部）の画素値の各色成分の値である。また、ｋは画素の位置を表し、ｋの値が等しい２画素は互いに隣接しているものとする。
【数１】
0005669614.tif 000002
差分値算出部１２４は、Ｓ３０１で仮設定した配置において互いに隣接する２つの分割画像の全ての組み合わせについて、差分値Ｄｍが算出されるまで、Ｓ３０２の処理を繰り返す（Ｓ３０３）。
【００２２】
そして、差分値比較部１２５が、Ｓ３０１で仮設定された配置において互いに隣接する２つの分割画像の全ての組み合わせについて差分値Ｄｍが算出された後、その配置において算出された差分値の総和（比較値）Ｓｎを算出する（Ｓ３０４）。
配置の候補の全て（想定される配置の全て）について比較値Ｓｎが算出されるまで、Ｓ３０１〜Ｓ３０４の処理が繰り返される（Ｓ３０５）。
配置の候補の全てについて比較値Ｓｎが算出された後、ＣＰＵ１２０が、配置の候補のうち、比較値Ｓｎが最小となる候補を選択する（Ｓ３０６）。
その後、ＣＰＵ１２０が、入力された分割画像の配置がＳ３０６で選択された候補の配置Ｐｎ’となるように画像配置入替部１０９に対して信号の入れ替え（割り振り）を指示する（Ｓ３０７）。それにより、複数の分割画像が、複数の分割画像の配置の候補のうち、比較値Ｓｎが最小となる候補の配置で表示パネルに表示される。
入力された複数の分割画像の配置が正しい場合には、比較値Ｓｎは小さな値となる。本実施例では、入力された複数の画像を、複数の画像の配置の候補のうち、比較値Ｓｎが最小となる候補の配置で表示することにより、分割画像を正しい位置に表示することができる。
【００２３】
また、本実施例では、ＣＰＵ１２０は、入力された複数の画像の同期信号の周期と位相から、複数の画像の配置を決定する処理（図３の処理；配置決定処理）を行うか否かを判定する。なお、配置決定処理を行わない場合には、画像入力部１０１〜１０４に入力された４つの画像は、所定の配置で表示パネルに表示される。具体的には、配置決定処理を行わない場合には、画像配置入替部１０９は、入力線と出力線の対応関係を所定の対応関係として、入力された４つの画像を各出力線へ割り振る。これにより、画像入力部１０１〜１０４に、それぞれ、異なる画像出力装置から画像が入力される場合の誤処理（不要な配置の変更）を抑制することができる。また、フレームの同期がとれていない複数の分割画像が入力される場合の、シーンの切り替わり時における誤処理（正しい配置から誤った配置への変更）を抑制することが可能となる。
【００２４】
画像入力部１０１〜１０４に入力される画像（入力画像Ａ〜Ｄ）の同期信号の一例を図４に示す。
ＣＰＵ１２０は、画像入力部１０１〜１０４から各画像の同期信号を抽出する。そして、抽出した同期信号から、入力された複数の画像が以下の２つの条件を満たすか否かを判断する。
（Ａ）入力された複数の画像の同期信号の周期が全て等しい
（Ｔ６０１〜Ｔ６０４が互いに一致）
（Ｂ）入力された複数の画像のうち同期信号のタイミングが最も遅い画像の、同期信
号のタイミングが最も早い画像に対する同期信号の遅延時間が、同期信号の周期の１／２以下の時間である
（Ｔ６０５がＴ６０１の５０％以下）
そして、上記２つの条件を満たす場合にのみ、配置決定処理（図３の処理）を実施し、それ以外の場合には実施しない。即ち、上記２つの条件を満たす場合以外の場合には、入力された複数の画像は所定の配置で表示される。
このような構成にすることにより、上記誤検出を抑制することができる。
【００２５】
以上述べたように、本実施例では、画像表示装置と画像出力装置の間に画像以外のデータ（情報）の伝送経路を設けたり、他の装置を用いたりする必要はない。そして、“配置の候補毎に差分値を算出し、差分値の総和が最小となる候補の配置で入力された複数の画像を表示する”という簡易な構成で分割画像を正しい位置に表示することができる。
また、本実施例では、上記条件（Ａ），（Ｂ）の両方を満たす場合以外の場合には、入力された複数の画像は所定の配置で表示される。それにより、不要な配置の変更及び正しい配置から誤った配置への変更を抑制することができる。
【００２６】
なお、本実施例では、複数の画像が入力される度に（即ち、フレーム毎に）配置決定処理を行うものとしたが、配置決定処理を行うタイミングはこれに限らない。最初に複数の画像が入力されたときにのみ配置決定処理を行ってもよい。ユーザ操作に応じて配置決定処理を行ってもよい。
また、本実施例では、入力された複数の画像が特定の画像か否かを識別して、特定の画像である場合に配置決定処理を行う構成とした。具体的には、上記条件（Ａ），（Ｂ）の両方を満たす場合にのみ配置決定処理を行う構成とした。しかし、構成はこれに限らない。例えば、上記条件（Ａ），（Ｂ）を満たすか否かに関わらず配置決定処理を行う構成であってもよい。そのような構成であっても、入力された複数の画像が複数の分割画像である場合には、上述した“簡易な構成で分割画像を正しい位置に表示することができる”という効果を得ることができる。
【００２７】
なお、本実施例では、縁部内の各画素値を用いて差分値を算出する構成としたが、差分値の算出に用いる画素値はこれに限らない。縁部内の一部の画素値や、縁部を代表する画
素値（例えば、最大値、最小値、最頻値、平均値など）を用いて差分値を算出してもよい。
また、本実施例では、分割画像の上下左右のそれぞれの方向について、その方向の最も端に位置する１ライン分の領域を縁部としたが、縁部はこれに限らない。例えば、分割画像の上下左右のそれぞれの方向について、その方向の最も端の位置から複数ライン分の領域を縁部としてもよい。
なお、本実施例では、複数の分割画像の想定される全ての配置を候補としたが、想定される配置のうち、一部の配置を候補としてもよい。
【００２８】
＜実施例２＞
次に、本発明の実施例２について説明する。実施例２は、差分値Ｄｍの算出方法が実施例１と異なる。以下、実施例１と異なる点についてのみ説明する。実施例１と同一の構成には、実施例１で用いた符号と同一の符号を付す。
【００２９】
本実施例では、一方の分割画像の他方の分割画像に隣接する縁部内の全ての画素値が同じ値である場合に、差分値Ｄｍとして所定の閾値ＤＴＨを採用（設定）する。これにより、例えば図５のような、元画像（分割前の画像）が濃淡のない背景を有する画像や元画像の外周が同一色の枠に囲まれた画像である場合の誤処理（誤った配置の決定）を抑制することができる。閾値ＤＴＨは、例えば、正しい配置のときに得られる差分値の上限値である。
本実施例では、ＣＰＵ１２０と差分値算出部１２４により、本発明の算出手段が実現される。
【００３０】
本実施例における差分値Ｄｍを算出する際の処理の流れの一例を図６に示す。図６は、図３のＳ３０２の処理に対応する。
まず、ＣＰＵ１２０は、Ｓ３０１で仮設定された配置において、一方の分割画像の他方の分割画像に隣接する縁部内の全ての画素値が同じ値であるか否かを判定する（Ｓ５０１）。
そして、ＣＰＵ１２０は、一方の分割画像の他方の分割画像に隣接する縁部内の全ての画素値が同じ値である場合に、該一方の分割画像と該他方の分割画像とにおける差分値Ｄｍとして所定の閾値ＤＴＨを採用する（Ｓ５０４）。そうでない場合は、ＣＰＵ１２０は、実施例１と同様の方法で差分値Ｄｍを算出するよう、差分値算出部１２４に指示する（Ｓ５０２）。
次に、ＣＰＵ１２０が、Ｓ５０２で算出された差分値Ｄｍと閾値ＤＴＨを比較する（Ｓ５０３）。差分値Ｄｍが閾値ＤＴＨより大きい場合には、ＣＰＵ１２０は、Ｓ５０４の処理を行う。即ち、ＣＰＵ１２０は、差分値Ｄｍの値を閾値ＤＴＨに置き換える（差分値Ｄｍとして閾値ＤＴＨを採用する）。このように閾値ＤＴＨに置き換えることで、例えば、ある画像の配置における複数の差分値Ｄｍのうち、１つの差分値が他の差分値に比べてはるかに大きい場合に、差分値の和である比較値が大きな値になってしまうことを防ぐことができる。差分値Ｄｍが閾値ＤＴＨ以下の場合は、本フローを終了する。即ち、差分値Ｄｍの置き換えは行われず、差分値Ｄｍの値として実施例１と同様の方法で算出された値が採用される。
【００３１】
元画像が濃淡のない背景を有する画像や元画像の外周が同一色の枠に囲まれた画像である場合、元画像の外周部（縁部）の画素値は全て等しい場合が多い。そのため、一方の分割画像の他方の分割画像に隣接する縁部内の全ての画素値が同じ値である場合には、その配置は誤りである（元画像の縁部が分割画像間に位置している）可能性が高い。
本実施例では、一方の分割画像の他方の分割画像に隣接する縁部内の全ての画素値が同じ値である場合に、差分値Ｄｍとして所定の閾値ＤＴＨが採用される。それにより、誤った配置において、差分値Ｄｍ及び比較値Ｓｎとして実施例１よりも大きな値を得ることが
できる。その結果、元画像が濃淡のない背景を有する画像や元画像の外周が同一色の枠に囲まれた画像である場合に、誤った配置が正しい配置とされること（誤った配置についての比較値Ｓｎが最小値となること）を抑制することができる。
なお、図６の例では、算出された差分値Ｄｍが閾値ＤＴＨより大きい場合に、差分値Ｄｍの値を閾値ＤＴＨに置き換えるものとしたが、そのような処理は行わなくてもよい。即ち、算出された差分値Ｄｍが閾値ＤＴＨより大きい場合には、算出された差分値Ｄｍをそのまま用いてもよい。
【００３２】
また、元画像が濃淡のない背景を有する画像や元画像の外周が同一色の枠に囲まれた画像である場合、誤った配置では、差分値Ｄｍとして０または大きな値が算出される場合が多い。そのため、差分値算出部１２４により算出された差分値が０となる場合にのみ、一方の分割画像の他方の分割画像に隣接する縁部内の全ての画素値が同じ値であるか否かを判断してもよい。以下、図７のフローチャートを用いて、詳しく説明する。
【００３３】
まず、ＣＰＵ１２０は、実施例１と同様の方法で差分値Ｄｍを算出するよう、差分値算出部１２４に指示する（Ｓ６０１）。
そして、ＣＰＵ１２０は、Ｓ６０１で算出された差分値Ｄｍが０か否かを判定する（Ｓ６０２）。差分値Ｄｍが０の場合にはＳ６０３へ進む。差分値Ｄｍが０でない場合には本フローを終了する（即ち、差分値Ｄｍの値として実施例１と同様の方法で算出された値（０）が採用される）。
Ｓ６０３では、ＣＰＵ１２０が、一方の分割画像の他方の分割画像に隣接する縁部内の全ての画素値が同じ値であるか否かを判定する。そして、ＣＰＵ１２０は、一方の分割画像の他方の分割画像に隣接する縁部内の全ての画素値が同じ値である場合に、差分値Ｄｍの値を所定の閾値ＤＴＨに置き換える（Ｓ６０４）。そうでない場合は、本フローを終了する。即ち、算出された差分値Ｄｍの置き換えは行われず、差分値Ｄｍの値として実施例１と同様の方法で算出された値が採用される。
このような構成によれば、図６の処理よりも少ない処理量で上記効果に順じた効果を得ることができる。
【００３４】
なお、本発明はその精神、またはその主要な特徴から逸脱することなく、様々な形態で実施することが出来る。従って、前述の実施形態はあらゆる点に於いて例示に過ぎず、限定的に解釈してはならない。
【符号の説明】
【００３５】
１００  画像表示装置
１０９  画像配置入替部
１１０  画像合成部
１１２  画像出力部
１２０  ＣＰＵ
１２４  差分値算出部
１２５  差分値比較部
【図１】
0005669614.tif 000003
【図２】
0005669614.tif 000004
【図３】
0005669614.tif 000005
【図４】
0005669614.tif 000006
【図５】
0005669614.tif 000007
【図６】
0005669614.tif 000008
【図７】
0005669614.tif 000009
【図８】
0005669614.tif 000010